(57)【要約】【課題】モータにて駆動されるファンの作用により、吸い込まれた空気をフィルタを介して吹出し口から清浄空気として吹き出し、製造装置やクリーンルームの清浄化をおこなうファンフィルタユニットにおいて、モータへ流れる電流値からメンテナンスの必要性を判断することのできるファンフィルタユニットの制御装置を提供することを目的とする。【解決手段】吸込口１と吹出口３を有した本体４内にファン５を回転させるモータ６を設け、モータ６へ流れる電流を検出する電流検出手段７と検出した電流値と予め設定された所定の値との比較判断をすることのできる第１制御手段８を備えた構成とし、モータ６へ流れる電流が所定の値から外れたときメンテナンスの必要性を判断することができるファンフィルタユニットの制御装置を得られる。【選択図】図１
2007107779.tif 000002
【特許請求の範囲】
【請求項１】
吸込口と吹出口を有した本体内にファンを回転させるモータを設け、本体の吸込口から吸い込まれた空気をフィルタを介して吹出口から清浄空気を吹出すファンフィルタユニットにおいて、モータへ流れる電流を検出する電流検出手段と検出した電流値と予め設定された所定の値を比較しメンテナンスの必要性を判断する制御手段を備えたことを特徴とするファンフィルタユニット。
【請求項２】
メンテナンスサインを報知する報知手段を備えたことを特徴とする請求項１記載のファンフィルタユニット。
【請求項３】
報知手段は視覚表示を行なう表示手段としたことを特徴とする請求項２記載のファンフィルタユニットの制御装置。
【請求項４】
報知手段は音による聴覚伝達を用いた発報手段としたことを特徴とする請求項２記載のファンフィルタユニット。
【請求項５】
報知手段は音声伝達を用いた音声手段としたことを特徴とする請求項２記載のファンフィルタユニット。
【請求項６】
報知手段は他の機器へ通信信号で発信する通信手段としたことを特徴とする請求項２記載のファンフィルタユニット。
【請求項７】
報知手段を移動可能な分割構成としたことを特徴とする請求項２記載のファンフィルタユニット。
【請求項８】
モータへ流れる電流値に応じて報知方法を変化させることを特徴とする請求項２記載のファンフィルタユニット。
【請求項９】
モータ初期動作時の電流値に応じて、予め設定された所定の値を補正することを特徴とする請求項２記載のファンフィルタユニット。
【請求項１０】
制御手段の電源に補助電源手段を備えたことを特徴とする請求項９記載のファンフィルタユニット。
【請求項１１】
補正した所定の値を記憶する保存手段を備えたことを特徴とする請求項９記載のファンフィルタユニット。
【請求項１２】
時間をカウントするタイマー機能を備えたことを特徴とする請求項２記載のファンフィルタユニット。
【請求項１３】
報知方法を変化させることを特徴とする請求項１２記載のファンフィルタユニット。
【請求項１４】
モータの回転数を検出する回転数検出手段とモータの回転数に応じて所定の値を設定することを特徴とする請求項２記載のファンフィルタユニット。
【請求項１５】
モータに印加される電圧を検出する電圧検出手段と電圧に応じて所定の値を設定することを特徴とする請求項２記載のファンフィルタユニット。
【請求項１６】
他の機器へ信号を送信する連動手段と連動手段を駆動するための機能を備えたことを特徴とする請求項２記載のファンフィルタユニット。
【請求項１７】
複数モータの合成電流を検出できる位置に電流検出手段を配したことを特徴とする請求項１乃至１６のいずれかに記載のファンフィルタユニット。
【発明の詳細な説明】
【技術分野】
【０００１】
本発明は、半導体、液晶、およびプラズマディスプレイパネルなどの清浄環境を必要とする製造装置やクリーンルームに使用されるファンフィルタユニットの制御装置に関する。
【背景技術】
【０００２】
従来、この種のファンフィルタユニットの制御装置は、モータにて駆動されるファンの作用により、吸い込まれた空気をフィルタを介して吹出し口から清浄空気として吹き出し、製造装置やクリーンルームの清浄化をおこないつつ、モータの異常、寿命の監視はモータに振動センサを設け、振動センサの値が所定の値を超えたときに警報信号を出力するものが知られている（例えば、特許文献１参照）。
【０００３】
また、別の方法としてファンフィルタユニット内部に風速センサを設け、風速センサの検出値が設定値以内であるか否かにおいてファンフィルタユニットの異常判断するものが知られている（例えば、特許文献２参照）。
【特許文献１】特開平７−２４３６８２号公報
【特許文献２】実用新案登録第２５２９３８１号公報
【発明の開示】
【発明が解決しようとする課題】
【０００４】
このような従来のファンフィルタユニットの制御装置では、ファンの固定ねじの緩み、もしくは、ファンの脱落時はモータのシャフトのみが回転し振動が減少することが想定されるが、このような現象の故障については故障検出するのが困難であるという課題があり、ファンの脱落故障現象に対応できるモータの故障検出が要求されている。
【０００５】
また、振動によりモータの故障を監視しているので、複数台のファンフィルタユニットが並列に接続されているときや、他の機器の振動に影響されるという課題があり、他の機器の影響を受け難いモータの故障検出が要求されている。
【０００６】
また、風速によりファンフィルタユニットの異常判断する場合は、使用環境において塵埃が多目の場合には検出する異常の大半はフィルタの目詰まりとなり、短期間で異常を繰り返し報知することが想定され、異常発報が軽視され易いという課題があり、モータの故障検出が要求されている。
【０００７】
また、振動や風速の故障判定条件は固定値であるため、設置環境や動作設定に対応することが困難であるという課題があり、設置環境や動作設定に対応できるモータの故障検出が要求されている。
【０００８】
本発明は、このような従来の課題を解決するものであり、モータへ流れる電流値からメンテナンスの必要性を判断することのできるファンフィルタユニットを提供することを目的としている。
【０００９】
また、メンテナンスサインを報知することができるようにしたファンフィルタユニットを提供することを目的としている。
【００１０】
また、視覚表示によるメンテナンスサインを報知することができるようにしたファンフィルタユニットを提供することを目的としている。
【００１１】
また、聴覚伝達によるメンテナンスサインを報知することができるようにしたファンフィルタユニットを提供することを目的としている。
【００１２】
また、メンテナンスサインをガイダンスすることのできるようにしたファンフィルタユニットを提供することを目的としている。
【００１３】
また、他の機器へメンテナンスサインを発信することのできるようにしたファンフィルタユニットを提供することを目的としている。
【００１４】
また、報知手段を任意の場所に移動することができるようにしたファンフィルタユニットを提供することを目的としている。
【００１５】
また、モータへ流れる電流値が所定の値に対して上下限値のどちらに外れたかを判断し、メンテナンスが必要と予測される部位を特定しメンテナンスサインを報知することができるようにしたファンフィルタユニットを提供することを目的としている。
【００１６】
また、初期動作時の電流検出手段の信号に応じて、所定の値を補正してメンテナンスサインを報知することができるようにしたファンフィルタユニットを提供することを目的としている。
【００１７】
また、電源低下の際にも補正した所定の値を補助電源手段により保持しつつ、メンテナンスサインを報知することができるようにしたファンフィルタユニットを提供することを目的としている。
【００１８】
また、電源低下や電源供給停止の際にも補正した所定の値の損失を回避し、メンテナンスサインを報知することができるようにしたファンフィルタユニットを提供することを目的としている。
【００１９】
また、モータに流れる電流が所定の値から外れている時間をカウントし、設定カウント以上となるとメンテナンスサインを報知することができるようにしたファンフィルタユニットを提供することを目的としている。
【００２０】
また、タイマー機能のカウント時間に応じて報知方法を変化させつつ、メンテナンスサインを報知することができるようにしたファンフィルタユニットを提供することを目的としている。
【００２１】
また、モータ回転数に応じて所定の値を変化させ、メンテナンスサインを報知できるようにしたファンフィルタユニットを提供することを目的としている。
【００２２】
また、電源電圧に応じて所定の値を変化させ、メンテナンスサインを報知できるようにしたファンフィルタユニットを提供することを目的としている。
【００２３】
また、メンテナンスサイン報知中に他の機器を発停制御しながら、メンテナンスサインを報知できるようにしたファンフィルタユニットを提供することを目的としている。
【００２４】
また、複数モータを備えた機器においてもモータへ流れる合成の電流値からメンテナンスの必要性を判断することのできるようにしたファンフィルタユニットを提供することを目的としている。
【課題を解決するための手段】
【００２５】
本発明のファンフィルタユニットは上記目的を達成するために、モータへ流れる電流を検出する電流検出手段と検出した電流値と予め設定された所定の値を比較しメンテナンスの必要性を判断する制御手段を備えた構成としたものである。
【００２６】
この手段によりモータへ流れる電流値からメンテナンスの必要性を判断することのできるファンフィルタユニットが得られる。
【００２７】
また、本発明のファンフィルタユニットは上記目的を達成するために、メンテナンスサインを報知する報知手段を備えたものである。
【００２８】
これによりメンテナンスサインを報知することができるファンフィルタユニットが得られる。
【００２９】
また、本発明のファンフィルタユニットは上記目的を達成するために、報知手段は視覚表示を行なう表示手段としたものである。
【００３０】
これにより視覚表示によるメンテナンスサインを報知することができるファンフィルタユニットが得られる。
【００３１】
また、本発明のファンフィルタユニットは上記目的を達成するために、報知手段は音による聴覚伝達を用いた発報手段としたものである。
【００３２】
これにより聴覚伝達によるメンテナンスサインを報知することができるファンフィルタユニットが得られる。
【００３３】
また、本発明のファンフィルタユニットは上記目的を達成するために、報知手段は音声伝達を用いた音声手段としたものである。
【００３４】
これによりメンテナンスサインをガイダンスすることのできるファンフィルタユニットが得られる。
【００３５】
また、本発明のファンフィルタユニットは上記目的を達成するために、報知手段は他の機器へ通信信号で発信する通信手段としたものである。
【００３６】
これにより他の機器へメンテナンスサインを発信することのできるファンフィルタユニットが得られる。
【００３７】
また、本発明のファンフィルタユニットは上記目的を達成するために、報知手段を移動可能な分割構成としたものである。
【００３８】
これにより報知手段を任意の場所に移動することができるファンフィルタユニットが得られる。
【００３９】
また、本発明のファンフィルタユニットは上記目的を達成するために、モータへ流れる電流値に応じて報知方法を変化させる構成としたものである。
【００４０】
これによりモータへ流れる電流値が所定の値に対して上下限値のどちらに外れたかを判断し、メンテナンスが必要と予測される部位を特定しメンテナンスサインを報知することができるファンフィルタユニットが得られる。
【００４１】
また、本発明のファンフィルタユニットは上記目的を達成するために、モータ初期動作時の電流値に応じて、予め設定された所定の値を補正する構成としたものである。
【００４２】
これにより初期動作時の電流検出手段の信号に応じて、予め設定された所定の値を補正してメンテナンスサインを報知することができるファンフィルタユニットが得られる。
【００４３】
また、本発明のファンフィルタユニットは上記目的を達成するために、制御手段の電源に補助電源手段を備えた構成としたものである。
【００４４】
これにより電源低下の際にも補正した所定の値を補助電源手段により保持しつつ、メンテナンスサインを報知することができるファンフィルタユニットが得られる。
【００４５】
また、本発明のファンフィルタユニットは上記目的を達成するために、補正した所定の値を記憶する保存手段を備えた構成としたものである。
【００４６】
これにより電源低下や電源供給停止の際にも補正した所定の値の損失を回避し、メンテナンスサインを報知することができるファンフィルタユニットが得られる。
【００４７】
また、本発明のファンフィルタユニットは上記目的を達成するために、時間をカウントするタイマー機能を備えた構成としたものである。
【００４８】
これによりモータに流れる電流が所定の値を超えても、設定カウントに満たない間はメンテナンスサインを報知せずに待機し、設定カウント以上となるとメンテナンスサインを報知することができるファンフィルタユニットが得られる。
【００４９】
また、本発明のファンフィルタユニットは上記目的を達成するために、報知方法を変化させる構成としたものである。
【００５０】
これによりタイマー機能のカウント時間に応じて報知方法を変化させつつ、メンテナンスサインを報知することができるファンフィルタユニットが得られる。
【００５１】
また、本発明のファンフィルタユニットは上記目的を達成するために、モータの回転数を検出する回転数検出手段とモータの回転数に応じて所定の値を設定する構成としたものである。
【００５２】
これによりモータ回転数に応じて所定の値を変化させ、メンテナンスサインを報知できるようにしたファンフィルタユニットが得られる。
【００５３】
また、本発明のファンフィルタユニットは上記目的を達成するために、モータに印加される電圧を検出する電圧検出手段と電圧に応じて所定の値を設定する構成としたものである。
【００５４】
これにより電源電圧に応じて所定の値を変化させ、メンテナンスサインを報知できるファンフィルタユニットが得られる。
【００５５】
また、本発明のファンフィルタユニットは上記目的を達成するために、他の機器へ信号を送信する連動手段と連動手段を駆動するための機能を備えた構成としたものである。
【００５６】
これによりメンテナンスサイン報知中に他の機器を発停制御しながら、メンテナンスサインを報知できるようにしたファンフィルタユニットが得られる。
【００５７】
また、本発明のファンフィルタユニットは上記目的を達成するために、複数モータの合成電流を検出できる位置に電流検出手段を配した構成としたものである。
【００５８】
これにより複数モータを備えた機器においてもモータへ流れる合成の電流値からメンテナンスの必要性を判断することのできるようにしたファンフィルタユニットが得られる。
【発明の効果】
【００５９】
本発明によればモータへ流れる電流を検出する電流検出手段と検出した電流値と予め設定された所定の値との比較判断をすることのできる制御手段を備えモータへ流れる電流値からメンテナンスの必要性を判断することのできるようにしたのでモータへ流れる電流が所定の値から外れることでメンテナンスの必要性を判断できるファンフィルタユニットを提供できる。
【００６０】
また、報知手段によりメンテナンスサインを報知できるようにしたので、容易にメンテナンスの必要性を知ることができるファンフィルタユニットを提供できる。
【００６１】
また、報知手段を視覚表示を行なう表示手段とし視覚表示によるメンテナンスサインを報知できるようにしたので、外観確認により容易にメンテナンスの必要性を知ることができるファンフィルタユニットを提供できる。
【００６２】
また、報知手段を音による聴覚伝達を用いた発報手段とし聴覚伝達によるメンテナンスサインを報知できるようにしたので、周囲に近づくことで容易にメンテナンスの必要性を知ることができるファンフィルタユニットを提供できる。
【００６３】
また、報知手段を音声伝達を用いた音声手段としメンテナンスサインをガイダンスすることのできるようにしたので、容易メンテナンスの必要性と確実なメンテナンス情報を知ることができるファンフィルタユニットを提供できる。
【００６４】
また、報知手段を他の機器へ通信信号で発信する通信手段とし他の機器へメンテナンスサインを発信することのできるようにしたので、離れた所から容易にメンテナンスの必要性を知ることができるファンフィルタユニットを提供できる。
【００６５】
また、報知手段を移動可能な分割構成とし任意の場所に移動することができるようにしたので、外観確認がし難い場所への設置環境や騒音、外光に影響なく、容易にメンテナンスの必要性を知ることができるファンフィルタユニットを提供できる。
【００６６】
また、モータへ流れる電流値が所定の値に対して上下限値のどちらに外れたかを判断し、メンテナンスが必要と予測される部位を特定しメンテナンスサインを報知することができるようにしたので、メンテナンス時間の短縮ができるファンフィルタユニットを提供できる。
【００６７】
また、初期動作時の電流検出手段の信号に応じて、所定の値を補正してメンテナンスサインを報知することができるようにしたので、設置状況により変化するモータに流れる電流値に応じて、所定の値を補正してメンテナンスサインを報知することができ、誤動作を抑制することができるファンフィルタユニットを提供できる。
【００６８】
また、補助電源手段を備え電源低下の際にも補正した所定の値を補助電源手段により保持しつつ、メンテナンスサインを報知することができるようにしたので、瞬時停電や短期間の停電により発生する電源低下の際にも補正した所定の値を保護し、データの損失から回避することができるファンフィルタユニットを提供できる。
【００６９】
また、保存手段を備え電源低下や電源供給停止の際にも補正した所定の値の損失を回避し、メンテナンスサインを報知することができるようにしたので、停電や長期間のメンテナンスにより発生する電源低下や電源供給停止の際にも補正した所定の値を保護し、データの損失から回避することができるファンフィルタユニットを提供できる。
【００７０】
また、モータに流れる電流が所定の値から外れている時間をカウントし設定カウント以上となるとメンテナンスサインを報知することができるようにしたので、メンテナンスの不必要な一過性の負荷変動による誤認識を抑制しつつ、メンテナンスの必要性を知ることができるファンフィルタユニットを提供できる。
【００７１】
また、タイマー機能のカウント時間に応じて報知方法を変化させつつ、メンテナンスサインを報知することができるようにしたので、メンテナンスの緊急性が判断することができ、特に複数台設置で同時にメンテナンスサインが報知された際には対応する優先順位を容易に決定することができるファンフィルタユニットを提供できる。
【００７２】
また、回転数検出手段を備えモータ回転数に応じて所定の値を変化させ、メンテナンスサインを報知できるようにしたので、モータ回転数の変化より発生するモータ電流変動に起因する不必要なメンテナンスサインの報知を抑制しつつ、メンテナンスの必要性を知ることができるファンフィルタユニットを提供できる。
【００７３】
また、電圧検出手段を備え電源電圧に応じて所定の値を変化させ、メンテナンスサインを報知できるようにしたので、電圧の変化より発生するモータ電流変動に起因する不必要なメンテナンスサインの報知を抑制しつつ、メンテナンスの必要性を知ることができるファンフィルタユニットを提供できる。
【００７４】
また、連動手段を備えメンテナンスサイン報知中に他の機器を発停制御しながら、メンテナンスサインを報知できるようにしたので、メンテナンスサイン発報中に必要な機器の動作や不必要な機器の停止をし、メンテナンスサイン発報中でも機器の正常な動作に近づけるよう、もしくは、緊急処置動作として動作しつつ、メンテナンスの必要性を知ることができるファンフィルタユニットを提供できる。
【００７５】
また、複数モータの合成電流を検出できる位置に電流検出手段を配しモータへ流れる合成の電流値からメンテナンスの必要性を判断することのできるようにしたので、複数モータを備えた機器においても、各モータに電流検出手段を設ける必要なく簡易で安価な構成でメンテナンスの必要性を検出することができるファンフィルタユニットを提供できる。
【発明を実施するための最良の形態】
【００７６】
本発明の請求項１記載の発明は、吸込口と吹出口を有した本体内にファンを回転させるモータを設け、本体の吸込口から吸い込まれた空気をフィルタを介して吹出口から清浄空気を吹出すファンフィルタユニットにおいて、モータへ流れる電流を検出する電流検出手段と検出した電流値と予め設定された所定の値を比較しメンテナンスの必要性を判断する制御手段を備えた構成としたものであり、モータへ流れる電流値からメンテナンスの必要性を判断することができる。
【００７７】
また、請求項２記載の発明は、報知手段を備えた構成としたものであり、メンテナンスサインを報知することができる。
【００７８】
また、請求項３記載の発明は、報知手段は視覚表示を行なう表示手段とした構成のものであり、視覚表示によるメンテナンスサインを報知することができる。
【００７９】
また、請求項４記載の発明は、報知手段は音による聴覚伝達を用いた発報手段とした構成のものであり、聴覚伝達によるメンテナンスサインを報知することができる。
【００８０】
また、請求項５記載の発明は、報知手段は音声伝達を用いた音声手段とした構成のものであり、メンテナンスサインをガイダンスすることのできる。
【００８１】
また、請求項６記載の発明は、報知手段は他の機器へ通信信号で発信する通信手段とした構成のものであり、他の機器へメンテナンスサインを発信することのできる。
【００８２】
また、請求項７記載の発明は、報知手段を移動可能な分割構成としたものであり、報知手段を任意の場所に移動することができる。
【００８３】
また、請求項８記載の発明は、モータへ流れる電流値に応じて報知方法を変化させる構成としたものであり、モータへ流れる電流値が所定の値に対して上下限値のどちらに外れたかを判断し、メンテナンスが必要と予測される部位を特定しメンテナンスサインを報知することができる。
【００８４】
また、請求項９記載の発明は、モータ初期動作時の電流値に応じて、予め設定された所定の値を補正する構成としたものであり、初期動作時の電流検出手段の信号に応じて、予め設定された所定の値を補正してメンテナンスサインを報知することができる。
【００８５】
また、請求項１０記載の発明は、制御手段の電源に補助電源手段を備えた構成としたものであり、電源低下の際にも補正した所定の値を補助電源手段により保持しつつ、メンテナンスサインを報知することができる。
【００８６】
また、請求項１１記載の発明は、補正した所定の値を記憶する保存手段を備えた構成としたものであり。電源低下や電源供給停止の際にも補正した所定の値の損失を回避し、メンテナンスサインを報知することができる。
【００８７】
また、請求項１２記載の発明は、時間をカウントするタイマー機能を備えた構成としたものであり、モータに流れる電流が所定の値から外れている時間をカウントし、設定カウント以上となると、メンテナンスサインを報知することができる。
【００８８】
また、請求項１３記載の発明は、報知方法を変化させる構成としたものであり、タイマー機能のカウント時間に応じて報知方法を変化させつつ、メンテナンスサインを報知することができる。
【００８９】
また、請求項１４記載の発明は、モータの回転数を検出する回転数検出手段とモータの回転数に応じて所定の値を設定する構成としたものであり、モータ回転数に応じて所定の値を変化させ、メンテナンスサインを報知できる。
【００９０】
また、請求項１５記載の発明は、モータに印加される電圧を検出する電圧検出手段と電圧に応じて所定の値を設定する構成としたものであり、電源電圧に応じて所定の値を変化させ、メンテナンスサインを報知できる。
【００９１】
また、請求項１６記載の発明は、他の機器へ信号を送信する連動手段と連動手段を駆動するための機能を備えた構成としたものであり、メンテナンスサイン報知中に他の機器を発停制御しながら、メンテナンスサインを報知できる。
【００９２】
また、請求項１７記載の発明は、複数モータの合成電流を検出できる位置に電流検出手段を配した構成としたものであり、複数モータを備えた機器においてもモータへ流れる合成の電流値からメンテナンスの必要性を判断することのできる。
【００９３】
以下、本発明の実施の形態について図面を参照しながら説明する。
【００９４】
（実施の形態１）
図１に示すように、吸込口１と塵埃を除去するフィルタ２を介してなる吹出口３を有した本体４の内部にファン５を回転させるモータ６を配し、このモータ６にてファン５が回転することにより、吸込口１から吸い込まれた空気がフィルタ２により塵埃除去され吹出口３から清浄空気として吹出し、図示していないが本体４が設置されたクリーンルームや製造装置内部を浄化する。
【００９５】
また、前記モータ６へ流れる電流を電流検出手段７により検出し、この電流値を制御手段としての第１制御手段８にて予め設定された所定の値と比較して所定の値から外れているとき報知手段９が動作しメンテナンスサインを報知するように制御部１０を構成する。電流検出手段７としては、電流が検出できれば良く、カレントトランス、シャント抵抗などがある。制御部１０は電流検出手段７と第１制御手段８と報知手段９を備えている。
【００９６】
上記構成において、モータ６へ流れる電流が所定の値から外れたときメンテナンスの必要性を判断することができる。
【００９７】
また、報知手段９によりメンテナンスサインを報知するので、容易にメンテナンスの必要性を知ることができる。
【００９８】
また、報知手段９を発光ＬＥＤやランプもしくは液晶表示体に代表される表示手段に置き換え、視覚表示によるメンテナンスサインを報知するように構成される。
【００９９】
上記構成において、外観確認により容易にメンテナンスの必要性を知ることができる。
【０１００】
また、報知手段９を音を発生するブザーやチャイムに代表される発報手段に置き換え、聴覚伝達によるメンテナンスサインを報知するように構成される。
【０１０１】
上記構成において、周囲に近づくことで容易にメンテナンスの必要性を知ることができる。
【０１０２】
また、報知手段９をスピーカーに代表される音声手段に置き換え、音声伝達を用いてメンテナンスサインをガイダンス報知するように構成される。
【０１０３】
上記構成において、容易メンテナンスの必要性と確実なメンテナンス情報を知ることができる。
【０１０４】
また、報知手段９を電磁開閉器や汎用通信機もしくはトランジスタに代表される通信手段に置き換え、他の機器へ通信信号でメンテナンスサインを発信するように構成される。
【０１０５】
上記構成において、離れた所から容易にメンテナンスの必要性を知ることができる。
【０１０６】
（実施の形態２）
図２に示すように、制御部１０から報知手段９を分割した構成とし任意の場所に移動できるように構成される。制御部１０は電流検出手段７と第１制御手段８を備えている。
【０１０７】
上記構成において、本体４が外観確認し難い場所へ設置された場合や周囲の騒音、外光によりメンテナンスサインの確認が困難な環境下においても、報知手段９を周囲環境の影響を受けない場所に移動して容易にメンテナンスの必要性を知ることができる。
【０１０８】
（実施の形態３）
図３に示すように、第２制御手段１１によりモータ６へ流れる電流値が所定の値に対して上下限値のどちらに外れたか判断し、報知方法を変化するように構成される。
【０１０９】
上記構成において、所定の値の上限値を外れたときは、ベアリングの磨耗により抵抗が増大することや、ファン５の変形により周囲との接触が起こりモータ６への負荷が増していることが予想されメンテナンスの割合は”交換作業”が多く、所定の値の下限値を外れたときは、ファン５の取付ねじが緩んでいることや羽根の脱落によりモータ６への負荷が減少していることが予想されメンテナンスの割合は”確認・調整作業”が多くなる傾向があり、メンテナンス作業の事前に所定の値に対してモータ６の電流値が上下限値のどちらに外れたかを報知手段９により認識できるのでメンテナンスの準備および作業の時間短縮ができる。
【０１１０】
（実施の形態４）
図４に示すように、第３制御手段１２によりモータ６初期動作時の電流値に応じて、所定の値を補正するように構成される。
【０１１１】
上記構成において、モータ６を初めて駆動したときに流れる電流値が所定の値の範囲の中心値となるように所定の値を補正するようにして、本体４の設置状況で壁や物が近くにある場合には吸込みスペースが縮小しモータ６へ流れる電流が減少することや、設置気圧の変化、あるいはダクト設置による機体内外差圧により変化するモータ６に流れる電流値に応じて、所定の値を補正してメンテナンスサインを報知することができ、誤動作を抑制することができる。
【０１１２】
また、実施の形態４では、モータ６に流れる電流値を所定の値の中心値となるよう補正する一例を記載したが、モータ６の保護を目的とするために補正できる範囲に上限値制限を設けても良い。
【０１１３】
（実施の形態５）
図５に示すように、第３制御手段１２へ供給する電源に補助電源手段１３を配置し、電圧低下の際に補助電源手段１３より電気を供給するように構成される。補助電源手段１３としては、電気を供給できればよく、バッテリーなどがある。
【０１１４】
上記構成において、瞬時停電や短期間の停電により発生する電圧低下の際には補助電源手段１３より電気が供給されるため、第３制御手段１２は通常通り駆動できるので補正した所定の値を保護し、データの損失から回避することができる。
【０１１５】
（実施の形態６）
図６に示すように、電源供給がなくなってもデータを保持する保存手段１４を配置し補正した所定の値を保存するように構成される。保存手段１４としては、データが保持できればよく、メモリ、ＥＥＰＲＯＭなどがある。
【０１１６】
上記構成において、停電や長期間のメンテナンスにより発生する電圧低下や電源供給停止の際には構成された部品の機能が全て停止されるが、保存手段１４へ保存している補正した所定の値は保護され、次に電源供給が開始された際に第３制御手段１２によりデータが読み込まれ、機能停止前の状態に復帰することができ、データ損失から回避することができる。
【０１１７】
（実施の形態７）
図７に示すように、時間をカウントするタイマー機能を有した第４制御手段１５を有し、モータ６に流れる電流が所定の値から外れている時間をカウントし、設定カウント以上となるとメンテナンスサインを報知するように構成される。
【０１１８】
上記構成において、第４制御手段１５はモータ６に流れる電流が所定の値を超えても、設定カウントに満たない間はメンテナンスサインを報知せずに待機し、設定カウント以上となると報知手段９を駆動させメンテナンスサインを報知するので、メンテナンスの不必要な一過性の負荷変動による誤認識を抑制しつつ、メンテナンスの必要性を知ることができる。
【０１１９】
（実施の形態８）
図８に示すように、報知方法を変化させる機能を有した第５制御手段１６を有し、タイマー機能のカウント時間に応じて報知方法を変化させつつ、メンテナンスサインを報知するように構成される。
【０１２０】
上記構成において、報知方法がカウント時間に応じて変化するのでメンテナンスの緊急性が判断することができ、特に複数台設置で同時にメンテナンスサインが報知された際には対応する優先順位を容易に決定することができる。
【０１２１】
（実施の形態９）
図９に示すように、モータ６の回転数を検出する回転数検出手段１７とモータ６の回転数に応じて所定の値を設定した第６制御手段１８を有し、モータ回転数に応じて所定の値を変化させ、メンテナンスサインを報知するように構成される。回転数検出手段１７としては、モータの回転数が検出できれば良く、タコジェネレータなどがある。
【０１２２】
上記構成において、モータ回転数の変化より発生するモータ電流変動に起因する不必要なメンテナンスサインの報知を抑制しつつ、メンテナンスの必要性を知ることができる。
【０１２３】
（実施の形態１０）
図１０に示すように、モータ６に印加される電圧を検出する電圧検出手段１９と電圧に応じて所定の値を設定した第７制御手段２０を有し、電源電圧に応じて所定の値を変化させ、メンテナンスサインを報知するように構成される。
【０１２４】
上記構成において、電圧の変化より発生するモータ電流変動に起因する不必要なメンテナンスサインの報知を抑制しつつ、メンテナンスの必要性を知ることができる。
【０１２５】
（実施の形態１１）
図１１に示すように、他の機器へ信号を送信する連動手段２１と連動手段２１を駆動するための機能を追加した第８制御手段２２を有し、メンテナンスサイン報知中に他の機器を発停制御しながら、メンテナンスサインを報知するように構成される。連動手段２１としては、他の機器へ信号を送信できればよく、リレー、電磁開閉器などがある。
【０１２６】
上記構成において、メンテナンスサイン発報中に必要な機器の動作や不必要な機器の停止をし、メンテナンスサイン発報中でも機器の正常な動作に近づけるよう、もしくは、緊急処置動作として動作しつつ、メンテナンスの必要性を知ることができる。
【０１２７】
（実施の形態１２）
図１２に示すように、本体４の内部に第１モータ２３と第２モータ２４を有し、このモータの合成電流を検出できる位置に電流検出手段７を配し、モータへ流れる合成の電流値からメンテナンスの必要性を判断するように構成される。
【０１２８】
上記構成において、複数モータを備えた機器においても、各モータに電流検出手段７を設ける必要なく簡易で安価な構成でメンテナンスの必要性を検出することができる。
【産業上の利用可能性】
【０１２９】
家屋の２４時間常時換気を行なっている換気扇のモータメンテナンス検出の用途にも適用できる。
【図面の簡単な説明】
【０１３０】
【図１】本発明の実施の形態１記載の構成を示すブロック図
【図２】本発明の実施の形態２記載の構成を示すブロック図
【図３】本発明の実施の形態３記載の構成を示すブロック図
【図４】本発明の実施の形態４記載の構成を示すブロック図
【図５】本発明の実施の形態５記載の構成を示すブロック図
【図６】本発明の実施の形態６記載の構成を示すブロック図
【図７】本発明の実施の形態７記載の構成を示すブロック図
【図８】本発明の実施の形態８記載の構成を示すブロック図
【図９】本発明の実施の形態９記載の構成を示すブロック図
【図１０】本発明の実施の形態１０記載の構成を示すブロック図
【図１１】本発明の実施の形態１１記載の構成を示すブロック図
【図１２】本発明の実施の形態１２記載の構成を示すブロック図
【符号の説明】
【０１３１】
１    吸込口
２    フィルタ
３    吹出口
４    本体
５    ファン
６    モータ
７    電流検出手段
８    第１制御手段
９    報知手段
１０  制御部
１１  第２制御手段
１２  第３制御手段
１３  補助電源手段
１４  保存手段
１５  第４制御手段
１６  第５制御手段
１７  回転数検出手段
１８  第６制御手段
１９  電圧検出手段
２０  第７制御手段
２１  連動手段
２２  第８制御手段
２３  第１モータ
２４  第２モータ
【図１】
2007107779.tif 000003
【図２】
2007107779.tif 000004
【図３】
2007107779.tif 000005
【図４】
2007107779.tif 000006
【図５】
2007107779.tif 000007
【図６】
2007107779.tif 000008
【図７】
2007107779.tif 000009
【図８】
2007107779.tif 000010
【図９】
2007107779.tif 000011
【図１０】
2007107779.tif 000012
【図１１】
2007107779.tif 000013
【図１２】
2007107779.tif 000014